(57)【要約】【課題】本発明は、ユーザの潜在的な嗜好に合った音楽コンテンツを短時間のうちに楽しませながらストレスなく選択させられるようにする。【解決手段】本発明は、多数の中から再生対象とすべき一群の音楽コンテンツを選択し、当該一群の音楽コンテンツについてサビ部分データＡ１、Ｂ１、Ｃ１をそれぞれ順次再生して出力し、サビ部分データＡ１、Ｂ１、Ｃ１のそれぞれの間にユーザ所望の効果を期待するサビ切換効果音を挿入することにより、一群の音楽コンテンツのサビ部分だけを部分再生処理することにより短時間のうちに一群の音楽コンテンツが何であるかをユーザに認識させ得ると共に、サビ部分とサビ切換効果音とによる一連の流れとしてユーザを飽きさせることなくユーザの潜在的な嗜好に合った音楽コンテンツを短時間のうちに楽しませながらストレスなく選択させることができる。【選択図】図２
2009093779.tif 000002
【特許請求の範囲】
【請求項１】
複数のコンテンツの中から再生対象とすべき一群のコンテンツを選択するコンテンツ選択手段と、
上記一群のコンテンツについて当該コンテンツの一部をそれぞれ順次再生する部分再生処理を行う部分再生処理手段と、
上記部分再生処理による上記コンテンツの一部に対する再生結果を順次出力する出力手段と、
上記部分再生処理手段によって順次再生する上記コンテンツの一部と、次のコンテンツの一部との間にユーザ所望の効果を発揮する被挿入コンテンツを挿入する挿入手段と
を具えるコンテンツ再生装置。
【請求項２】
上記挿入手段は、上記被挿入コンテンツとして、所定の効果音を挿入する
請求項１に記載のコンテンツ再生装置。
【請求項３】
上記挿入手段は、上記次のコンテンツにおける内容を連想させるテンポの上記効果音を上記被挿入コンテンツとして付与する
請求項２に記載のコンテンツ再生装置。
【請求項４】
上記挿入手段は、上記被挿入コンテンツとして、所定の映像を付与する
請求項１に記載のコンテンツ再生装置。
【請求項５】
上記挿入手段は、上記次のコンテンツにおける内容を連想させるイメージの上記映像を上記被挿入コンテンツとして付与する
請求項４に記載のコンテンツ再生装置。
【請求項６】
上記挿入手段は、上記コンテンツの名残を連想させるイメージの上記映像と、上記次のコンテンツにおける内容を連想させるイメージの上記映像とを含む上記被挿入コンテンツを付与する
請求項５に記載のコンテンツ再生装置。
【請求項７】
上記コンテンツ選択手段は、上記再生対象とすべき一群のコンテンツを選択する際、当該コンテンツのタグに付された属性情報に基づいて行う
請求項１に記載のコンテンツ再生装置。
【請求項８】
上記コンテンツ再生装置は、
上記コンテンツの一部に対する上記部分再生処理の実行中、ユーザから所定のトリガーが与えられると、当該トリガーに基づいて上記部分再生処理を全部再生処理に切り換える再生モード切換手段と
を具える請求項１に記載のコンテンツ再生装置。
【請求項９】
上記再生モード切換手段は、上記ユーザが発する音を上記トリガーとして上記部分再生処理を全部再生処理に切り換える
請求項８に記載のコンテンツ再生装置。
【請求項１０】
上記再生モード切換手段は、上記ユーザの手の動きを上記トリガーとして上記部分再生処理を全部再生処理に切り換える
請求項８に記載のコンテンツ再生装置。
【請求項１１】
上記再生モード切換手段は、上記全部再生処理が終了すると、自動的に上記部分再生処理へ戻す
請求項８に記載のコンテンツ再生装置。
【請求項１２】
上記再生モード切換手段は、上記全部再生処理が終了すると、上記部分再生処理へ戻すことなく自動的に終了する
請求項８に記載のコンテンツ再生装置。
【請求項１３】
コンテンツ選択手段により複数のコンテンツの中から再生対象とすべき一群のコンテンツを選択するコンテンツ選択ステップと、
上記一群のコンテンツについて部分再生処理手段により当該コンテンツの一部をそれぞれ順次再生する部分再生処理を行う部分再生処理ステップと、
上記部分再生処理における上記コンテンツの一部に対する再生結果を出力手段により順次出力する出力ステップと、
上記部分再生処理で順次再生する上記コンテンツの一部と、次のコンテンツの一部との間にユーザ所望の効果を発揮する被挿入コンテンツを挿入手段により挿入する挿入ステップと
を有するコンテンツ再生方法。
【発明の詳細な説明】
【技術分野】
【０００１】
本発明は、コンテンツ再生装置及びコンテンツ再生方法に関し、例えば家庭内で使用されるホームオーディオ機器に適用して好適なものである。
【背景技術】
【０００２】
従来、ホームオーディオ機器においては、ハードディスクに格納された大量の音楽コンテンツや、ＣＤ(Compact Disc)等の記録媒体に格納された音楽コンテンツを例えばシャッフル機能によってランダムに順次再生することが一般に行われている。
【０００３】
ここでユーザが、ホームオーディオ機器のシャッフル機能を使用するときというのは、通常、特に聞きたい楽曲が決定している訳ではなく、当該ホームオーディオ機器がランダムに再生する音楽コンテンツを聴取しながら嗜好に合致した楽曲を探し出したいときが多い。
【０００４】
このようなシャッフル機能に近いものとして、楽曲の所謂サビの部分のデータをクライアントへ送信し、聞き手がその楽曲を気に入ったとき、楽曲データ全体のリクエストを受け付けると、楽曲データ全体をクライアントへ送信するホームネットワークがある（例えば、特許文献１参照）。
【特許文献１】特開2003-150173公報
【０００５】
一方、シャッフル機能とは異なるが、受信周波数の低い方から順番に番組スキャンを行い、エンターキーが押下されたときに、その時点でスキャンしていた番組を親画面に固定するように選局制御するテレビジョン受像機が提案されている（例えば、特許文献２参照）。
【特許文献２】特開平9-83897号公報
【発明の開示】
【発明が解決しようとする課題】
【０００６】
ところでかかる構成の上述したホームオーディオ機器においては、シャッフル機能により複数の音楽コンテンツをランダム再生中、次の音楽コンテンツに切り換えるためには、ユーザ自ら曲送りボタンに対する押下操作をしなければならない。
【０００７】
従ってホームオーディオ機器では、大量にある音楽コンテンツの中からユーザの嗜好に合った音楽コンテンツに遭遇するまでは、曲送りボタンに対する押下操作を何度も連続して実行しなければならず、ユーザの使い勝手が悪いうえ多くの時間を費やさせることになると共に、当該ユーザに対して過度のストレスを感じさせてしまうという問題があった。
【０００８】
本発明は以上の点を考慮してなされたもので、ユーザの潜在的な嗜好に合ったコンテンツを短時間のうちに楽しませながらストレスなく選択させ得るコンテンツ再生装置及びコンテンツ再生方法を提案しようとするものである。
【課題を解決するための手段】
【０００９】
かかる課題を解決するため本発明においては、複数のコンテンツの中から再生対象とすべき一群のコンテンツを選択し、当該一群のコンテンツについて当該コンテンツの一部をそれぞれ順次再生する部分再生処理を行い、当該部分再生処理によるコンテンツの一部の再生結果を順次出力し、部分再生処理で順次再生するコンテンツの一部と、次のコンテンツの一部との間にユーザ所望の効果を発揮する被挿入コンテンツを挿入するようにする。
【００１０】
従って、コンテンツの一部を部分再生処理することにより短時間のうちに一群のコンテンツが何であるかをユーザに認識させることが出来ると共に、部分再生処理で順次再生するコンテンツの一部と次のコンテンツの一部との間に挿入された被挿入コンテンツをユーザに聴取させることが出来るので、部分再生処理によるコンテンツの一部と一部の隙間を埋めた一連の流れとしてユーザを飽きさせることなく部分再生処理の実行結果を提供することができる。
【発明の効果】
【００１１】
本発明によれば、コンテンツの一部を部分再生処理することにより短時間のうちに一群のコンテンツが何であるかをユーザに認識させることが出来ると共に、部分再生処理で順次再生するコンテンツの一部と次のコンテンツの一部との間に挿入された被挿入コンテンツをユーザに聴取させることが出来るので、部分再生処理によるコンテンツの一部と一部の隙間を埋めた一連の流れとしてユーザを飽きさせることなく部分再生処理の実行結果を提供することができ、かくしてユーザの潜在的な嗜好に合ったコンテンツを短時間のうちに楽しませながらストレスなく選択させ得るコンテンツ再生装置及びコンテンツ再生方法を実現することができる。
【発明を実施するための最良の形態】
【００１２】
以下、図面について、本発明の一実施の形態を詳述する。
【００１３】
（１）ホームオーディオシステムの全体構成
図１において、１は全体としてホームオーディオシステム１を示し、本発明のコンテンツ再生装置としてのホームオーディオ機器２に対し、携帯電話機３、ポータブルＡＶ(Audio Visual)プレーヤ４及びノートブック型パーソナルコンピュータ（以下、これをノートＰＣと呼ぶ。）５が接続された構成を有している。
【００１４】
この場合、ホームオーディオ機器２は、その本体部２Ａと携帯電話機３とが例えばブルートゥース（登録商標）やIEEE(Institute of Electrical and Electronic Engineers)802.11bの無線ＬＡＮ(Local Area Network)等により無線接続され、本体部２ＡとポータブルＡＶプレーヤ４及びノートＰＣ５とが有線接続されている。
【００１５】
ホームオーディオ機器２は、その本体部２Ａの表面にＬＣＤ(Liquid Crystal Display)等でなる表示部２Ｂが設けられ、また操作ボタン、回転操作ダイヤル等の各種操作キー２Ｃが設けられると共に、ＣＤ(Compact Disc)／ＤＶＤ(Digital Versatile Disc)装填トレイ２Ｄが設けられている。
【００１６】
因みにホームオーディオ機器２では、本体部２Ａの表面に外部の音声を録音するためのマイクロフォン２Ｅが設けられている。
【００１７】
またホームオーディオ機器２は、当該本体部２Ａの内部に複数の音楽コンテンツを格納し得るハードディスクドライブ（図示せず）、ＣＤ／ＤＶＤドライブ（図示せず）及びラジオ／ＴＶ(Television)チューナ等を有している。
【００１８】
従ってホームオーディオ機器２は、そのハードディスクドライブ、ＣＤ／ＤＶＤドライブによる音楽コンテンツの再生結果や、ラジオ／ＴＶチューナによる音楽コンテンツの受信結果をスピーカＳＰ１〜ＳＰ４から出力するようになされている。
【００１９】
因みにホームオーディオ機器２は、ラジオ／ＴＶチューナによる受信結果である映像コンテンツの映像については表示部２Ｂに表示し、その映像に対応した音声についてはスピーカＳＰ１〜ＳＰ４から出力するようになされている。
【００２０】
それに加えてホームオーディオ機器２は、本体部２Ａと接続された携帯電話機３、ポータブルＡＶプレーヤ４又はノートＰＣ５から音楽コンテンツを取り込み、その音楽コンテンツを再生し、その再生結果である音声を当該スピーカＳＰ１〜ＳＰ４から出力し得るようにもなされている。
【００２１】
このときホームオーディオ機器２では、外部から音楽コンテンツを取り込むべき取込対象の機器として、携帯電話機３、ポータブルＡＶプレーヤ４及びノートＰＣ５等の中から任意の機器又は全ての機器をユーザの好みにより自由に選択し得るようになされている。
【００２２】
従ってホームオーディオ機器２では、例えば、音楽コンテンツを取り込むべき取込対象の機器として携帯電話機３及びポータブルＡＶプレーヤ４がユーザにより選択された場合、本体部２Ａのハードディスクドライブ、ＣＤ／ＤＶＤドライブ及びラジオ／ＴＶチューナによって再生される複数の音楽コンテンツに加え、携帯電話機３及びポータブルＡＶプレーヤ４に格納されている複数の音楽コンテンツについても再生対象として選定し得るようになされている。
【００２３】
なお、ホームオーディオ機器２は、音楽コンテンツに対する取込対象の機器として携帯電話機３、ポータブルＡＶプレーヤ４又はノートＰＣ５の全てを選択することが出来る一方、携帯電話機３、ポータブルＡＶプレーヤ４又はノートＰＣ５の何れも選択しないことも出来る。
【００２４】
ホームオーディオ機器２では、取込対象の機器として携帯電話機３、ポータブルＡＶプレーヤ４又はノートＰＣ５の何れも選択されなかった場合、本体部２Ａのハードディスクドライブ、ＣＤ／ＤＶＤドライブ及びラジオ／ＴＶチューナによる複数の音楽コンテンツや、映像コンテンツが再生対象となる。
【００２５】
因みに、ホームオーディオ機器２の本体部２Ａと接続される取込対象の機器としては、ディジタル的に音楽コンテンツを取り込むことが可能な携帯電話機３、ポータブルＡＶプレーヤ４及びノートＰＣ５に限るものではなく、アナログ的に音楽コンテンツ、映像コンテンツを取り込むことが可能な各種機器も含まれる。
【００２６】
（２）自動サビ部分再生処理の基本原理
この場合、ホームオーディオシステム１では、再生対象として音楽コンテンツ及び映像コンテンツが存在するが、説明の便宜上、音楽コンテンツのサビ部分を自動的に再生処理する場合を例に挙げて説明する。
【００２７】
ホームオーディオシステム１では、ホームオーディオ機器２が携帯電話機３、ポータブルＡＶプレーヤ４又はノートＰＣ５と接続された結果、本体部２Ａのハードディスクドライブ、ＣＤ／ＤＶＤドライブ及びラジオ／ＴＶチューナにより再生される複数の音楽コンテンツに加え、これら取込対象の各機器が所有する音楽コンテンツについても再生対象として選択し得、それらに対する再生結果をスピーカＳＰ１〜ＳＰ４から順次出力することができる。
【００２８】
このとき、ハードディスクドライブ、ＣＤ／ＤＶＤドライブ及びラジオ／ＴＶチューナにより出力可能な複数の音楽コンテンツに加え、取込対象の各機器が所有する音楽コンテンツについても再生対象であり、再生対象となる音楽コンテンツの数が膨大過ぎるため、具体的に何の楽曲を聞きたいのかユーザ自身が分かっていないことが往々にして良くある。
【００２９】
そこでホームオーディオ機器２では、本体部２Ａのハードディスクドライブ、ＣＤ／ＤＶＤドライブ及びラジオ／ＴＶチューナにより再生される音楽コンテンツ及び取込対象の機器が保持する全ての音楽コンテンツのうち、当該音楽コンテンツのタグに付されている属性情報に基づいて、ジャンル、アーティスト、カテゴリー等のなかからユーザが所望する再生対象とすべき一群の音楽コンテンツを選択することにより絞り込むようになされている。
【００３０】
続いてホームオーディオ機器２は、属性に基づいて絞り込んだ一群の音楽コンテンツにおける所謂「サビ」部分に相当するデータ（以下、これを「サビ部分データ」と呼ぶ。）だけを抽出し、順次再生して出力する（以下、これを自動サビ部分再生処理と呼ぶ。）ようになされている。
【００３１】
これによりホームオーディオ機器２は、膨大な数の音楽コンテンツをフルコーラス再生するのではなく、自動サビ部分再生処理により音楽コンテンツの「サビ」部分だけを順次再生することになるので、再生中の楽曲がユーザの嗜好に合致したものであるか否かを短時間かつ容易に判別させ得るようになされている。
【００３２】
実際上、ホームオーディオ機器２は、図２に示すように、例えば再生対象として一群の音楽コンテンツＡ、Ｂ及びＣが選択されていた場合、音楽コンテンツＡについては「サビ」に該当すると想定される再生開始後の１分２３秒経過時点からコンテンツ全体の２０％をサビ部分データＡ１として設定する。
【００３３】
またホームオーディオ機器２は、音楽コンテンツＢについても「サビ」に該当すると想定される再生開始後の１分１０秒経過時点からコンテンツ全体の２０％をサビ部分データＢ１として設定する。
【００３４】
さらにホームオーディオ機器２は、音楽コンテンツＣに対しては、例えばコンテンツ全体のなかで音量レベルが所定の閾値を超えるくらい急激に上昇した時点をサビ開始位置として自動的に検出し、そのサビ開始位置からコンテンツ全体の２０％分をサビ部分データＣ１として設定する。
【００３５】
そしてホームオーディオ機器２は、サビ部分データＡ１、サビ部分データＢ１及びサビ部分データＣ１を順番に並べ、サビ部分データＡ１〜Ｃ１の各切れ間に対して、例えば２秒間程度のサビ切換効果音ＳＡＢ１（その具体的内容は後述する）を被挿入コンテンツとして挿入することにより、自動サビ部分再生処理の設定を行うようになされている。なおサビ切換効果音ＳＡＢ１の長さは２秒間に限るものではなく、ユーザの好みに合わせて１秒間と設定したり、５秒間と設定することも可能である。
【００３６】
従ってホームオーディオ機器２は、自動サビ部分再生処理の設定内容に従って、「サビ切換効果音ＳＡＢ１」→「サビ部分データＡ１」→「サビ切換効果音ＳＡＢ１」→「サビ部分データＢ１」→「サビ切換効果音ＳＡＢ１」→「サビ部分データＣ１」→「サビ切換効果音ＳＡＢ１」→……というように「サビ切換効果音ＳＡＢ１」を挟みながらサビ部分データＡ１〜Ｃ１を順次再生出力し得るようになされている。
【００３７】
このときユーザは、何ら特別な操作をすることなく、サビ部分データＡ１〜Ｃ１の再生音を順番に聴取することになるため、当該ユーザにとって思いもよらない音楽コンテンツに遭遇したり、ユーザ自身では認識していないが潜在的に聴取したいと考えている音楽コンテンツを発見することができる。
【００３８】
かくしてユーザは、ホームオーディオ機器２による自動サビ部分再生処理によって、膨大な数の音楽コンテンツの中から、短時間のうちにユーザの嗜好に合った音楽コンテンツと出会えるようになるのである。これが、自動サビ部分再生処理の大きな特徴の１つである。
【００３９】
このときユーザは、サビ部分データＡ１〜Ｃ１を順次聴取する中で、例えばサビ部分データＣ１の音楽コンテンツをフルコーラス再生して聴取したいと考えたとき、その意思をホームオーディオ機器２に対して伝達させるべく、指を鳴らしたり、或いは手を動かせば良い。
【００４０】
これによりホームオーディオ機器２は、例えばサビ部分データＣ１の再生中に、ユーザの指の音をトリガーとして認識したり、特定の手の動きをトリガーとして認識すれば、サビ部分データＣ１の部分再生処理から当該サビ部分データＣ１に対応した音楽コンテンツＣのフルコーラス再生処理（全部再生処理）へ切り換えるようになされている。これも、自動サビ部分再生処理の大きな特徴の１つである。
【００４１】
なお、この場合、サビ部分データＡ１〜Ｃ１の各切れ間には、同じ内容のサビ切換効果音ＳＡＢ１が被挿入コンテンツとして挿入されるようになされているが、必ずしも同じ内容でなければならない訳ではなく、全て異なる種類のサビ切換効果音ＳＡＢ１、ＳＡＢ２、ＳＡＢ３、ＳＡＢ４、…が被挿入コンテンツとして挿入されるようにしても良い。
【００４２】
具体的には、図３（Ａ）に示すように、サビ部分データＡ１とサビ部分データＢ１との間に挿入される被挿入コンテンツに相当するサビ切換効果音ＳＡＢ１としては、一例としてクロスフェードによる特殊効果音が考えられる。
【００４３】
このクロスフェードは、サビ部分データＡ１の音量を徐々に低減させつつ、次のサビ部分データＢ１の音量を次第に増加させたときの特殊効果音であり、ユーザにとっては、楽曲の切り換わり点が分かり難いため、いつのまにか楽曲が変更されているかのような連続的な印象を受ける。
【００４４】
また図３（Ｂ）に示すように、サビ部分データＡ１とサビ部分データＢ１との間に挿入される被挿入コンテンツに相当するサビ切換効果音ＳＡＢ１としては、一例としてホワイトノイズ（或いはピンクノイズ）等による効果音が考えられる。
【００４５】
このホワイトノイズは、所謂「ザーッ」というように聴こえる雑音であり、サビ部分データＡ１の楽曲部分と、次のサビ部分データＢ１の楽曲部分との間に挿入された場合、ユーザに対して、楽曲が切り換わることをホワイトノイズによって容易に認識させ得るようになされている。
【００４６】
さらに図３（Ｃ）に示すように、サビ部分データＡ１とサビ部分データＢ１との間に挿入される被挿入コンテンツに相当するサビ切換効果音ＳＡＢ１としては、一例としてユーザがマイクロフォン２Ｅを用いて独自に録音した録音音声（「やっほー！」）等の効果音が考えられる。
【００４７】
このような録音音声としては、これ以外にも例えば次のサビ部分データＢ１を紹介する内容の音声や、楽曲の切り換わりタイミングであることを示す内容の音声等でも良く、ユーザの希望する内容の音声がサビ部分データＡ１とサビ部分データＢ１との間に挿入される。
【００４８】
因みに、他に考えられる録音音声としては、例えば「鳥の囀り」、「ホイッスル音」、「ビープ音」、「お笑い芸人のネタ」、「お笑いの突っ込み音声」等があり、図４に示すように、ホームオーディオ機器２の本体部２Ａの表面に設けられているマイクロフォン２Ｅによって外部の音声を録音することにより生成される。
【００４９】
これら以外にも、被挿入コンテンツとして挿入されるサビ切換効果音ＳＡＢ１としては、図５に示すように、例えばサビ部分データＡ１における終盤の音程と、次のサビ部分データＢ１における序盤の音程とを次第に揃えていくように生成された切替効果音が考えられる。
【００５０】
すなわち、このような切替効果音でなるサビ切換効果音ＳＡＢ１は、当初部分の音符の音程がサビ部分データＡ１における終盤の音程と揃えられており、かつ終了部分の音符の音程がサビ部分データＢ１における序盤の音程と揃えられている。
【００５１】
この場合、ホームオーディオ機器２では、いわゆる１２音解析技術によって、サビ部分データＡ１における終盤の音程や、サビ部分データＢ１の序盤の音程を解析するようになされている。
【００５２】
ここで１２音解析技術とは、楽曲を時間と音程の２次元に解析するようになされており、特に音程に関しては１オクターブあたり１２の音程（ドレミに相当）に解析する。実際上、１２音解析技術では、楽曲データを時間軸に沿って１秒分の音楽に相当する部分に分けると共に、１オクターブの１２音階それぞれに相当する周波数帯域毎のエネルギーを抽出することにより音程やテンポ（楽曲進行の速度）を解析するようになされている。
【００５３】
ホームオーディオ機器２としては、このような切替効果音でなるサビ切換効果音ＳＡＢ１をサビ部分データＡ１とサビ部分データＢ１との間に挿入することにより、最初のサビ部分データＡ１から次のサビ部分データＢ１へ移り変わることをサビ切換効果音ＳＡＢ１によってユーザに認識させ得ると共に、その移り変わり過程において音程的な違和感を生じさせずにスムースな繋がり感を生じさせるようになされている。
【００５４】
なおホームオーディオ機器２は、サビ切換効果音ＳＡＢ１における終了部分の音程を、次に移り変わるサビ部分データＢ１の序盤の音程と揃えるようにしたことにより、次のサビ部分データＢ１の音程をユーザに対して容易にイメージさせ得るようになされている。
【００５５】
因みにホームオーディオ機器２は、サビ切換効果音ＳＡＢ１における当初部分の音程についても、再生終了した直前のサビ部分データＡ１における終盤の音程と揃えるようにした。これによりホームオーディオ機器２は、サビ部分データＡ１の音程からサビ切換効果音ＳＡＢ１の音程へと急激に変化することによる違和感を生じさせることなく、自然な音程の流れでユーザにサビ切換効果音ＳＡＢ１を聴取させ得るようになされている。
【００５６】
さらに、被挿入コンテンツに相当するサビ切換効果音ＳＡＢ１としては、図６に示すように、例えばサビ部分データＡ１における楽曲のテンポ（例えばテンポ「８０」）から、次のサビ部分データＢ１における楽曲のテンポ（例えばテンポ「１２０」）へ次第に加速していくように生成された切替効果音が考えられる。
【００５７】
すなわち、このような切替効果音でなるサビ切換効果音ＳＡＢ１は、当初部分のテンポがサビ部分データＡ１に相当する小節のテンポ（テンポ「８０」）と同じであり、かつ終了部分のテンポがサビ部分データＢ１に相当する小節のテンポ（テンポ「１２０」）と同じになっている。
【００５８】
この場合も、ホームオーディオ機器２では、上述した１２音解析技術によって、サビ部分データＡ１に相当する小節のテンポ（テンポ「８０」）や、サビ部分データＢ１に相当する小節のテンポ（テンポ「１２０」）を解析するようになされている。
【００５９】
ホームオーディオ機器２としては、このような切替効果音でなるサビ切換効果音ＳＡＢ１を最初のサビ部分データＡ１と次のサビ部分データＢ１との間に挿入することにより、サビ部分データＡ１からサビ部分データＢ１へ移り変わることをサビ切換効果音ＳＡＢ１によってユーザに認識させ得ると共に、その移り変わり過程においてテンポ的な違和感を生じさせることなくスムースな繋がり感を生じさせるようになされている。
【００６０】
なおホームオーディオ機器２は、サビ切換効果音ＳＡＢ１における終了部分のテンポと、次に移り変わるサビ部分データＢ１に相当する小節のテンポとを揃えるようにしたことにより、次のサビ部分データＢ１のテンポをユーザに対して容易にイメージさせ得るようになされている。
【００６１】
因みにホームオーディオ機器２は、サビ切換効果音ＳＡＢ１における当初部分のテンポについても、再生終了した直前のサビ部分データＡ１に相当する小節のテンポと揃えるようにした。これによりホームオーディオ機器２は、サビ部分データＡ１に相当する小節のテンポとサビ切換効果音ＳＡＢ１の当初部分におけるテンポとが急激に変化することによる違和感を生じさせることなく、自然なテンポの流れでユーザにサビ切換効果音ＳＡＢ１を聴取させ得るようになされている。
【００６２】
このように、サビ部分データＡ１〜Ｃ１の各切れ間に被挿入コンテンツとしてサビ切換効果音ＳＡＢ１が挿入された結果、サビ部分データＡ１〜Ｃ１がコマ切れ状態で出力されるのとは異なり、一連の流れを持った一つのコンテンツとして提供されることになる。これも、自動サビ部分再生処理の大きな特徴の１つである。
【００６３】
ところで、ホームオーディオ機器２では、同じ内容のサビ切換効果音ＳＡＢ１を被挿入コンテンツとして挿入するのではなく、全て異なる種類のサビ切換効果音ＳＡＢ１、ＳＡＢ２、ＳＡＢ３、ＳＡＢ４、…を被挿入コンテンツとして挿入する場合、以下のような処理を行なうようになされている。
【００６４】
具体的には、ホームオーディオ機器２は、サビ部分データＡ１を再生した後に、次のサビ部分データＢ１を再生するに当って、当該サビ部分データＢ１の音楽コンテンツＢに付加されているメタデータからコンテンツジャンルを読み取り、そのコンテンツジャンルに合わせた内容のサビ切換効果音ＳＡＢを選択して再生するようになされている。
【００６５】
例えばホームオーディオ機器２は、メタデータの内容に基づいてサビ部分データＢ１のコンテンツジャンルがロック、ポップス、ジャズ又はクラッシックの何れであるかを判別し、ロックであればサビ切換効果音ＳＡＢ１を再生し、ポップスであればサビ切換効果音ＳＡＢ２を再生し、ジャズであればサビ切換効果音ＳＡＢ３を再生し、クラッシックであればサビ切換効果音ＳＡＢ４を再生し得るようになされている。
【００６６】
（３）ホームオーディオ機器の回路構成
このような自動サビ部分再生処理を実行するホームオーディオ機器２の回路構成について具体的に説明する。
【００６７】
図７に示すようにホームオーディオ機器２は、ＣＰＵ(Central Processing Unit)構成の制御マイコン１１がハードディスクドライブ１４に格納された基本プログラムに従って全体を統括制御するようになされている。
【００６８】
またホームオーディオ機器２は、制御マイコン１１がハードディスクドライブ１２に格納された各種アプリケーションプログラムに従ってＡＶコンテンツの再生処理や、上述した自動再生処理プログラムに従って自動サビ部分再生処理を実行するようになされている。
【００６９】
因みにホームオーディオ機器２においては、図中の各回路ブロックを結ぶ実線はデータ線であり、破線は制御マイコン１１による制御線である。
【００７０】
実際上、ホームオーディオ機器２の制御マイコン１１は、本体部２Ａの表面に設けられた操作キー２Ｃに対するユーザ操作をキー入力部１３によって受け付け、そのユーザ操作に対応した命令を認識し、当該命令に従って各種処理を実行する。
【００７１】
ホームオーディオ機器２の制御マイコン１１は、ユーザからの命令に従い、ハードディスクドライブ１４、ＣＤ／ＤＶＤドライブ１５、ディジタルラジオ／ＴＶチューナ１７、アナログラジオ／ＴＶチューナ１８を駆動制御するようになされている。
【００７２】
更にホームオーディオ機器２の制御マイコン１１は、ユーザからの命令に従い、ＵＳＢ(Universal Serial Bus)、ブルートゥース（登録商標）やIEEE802.11bの無線ＬＡＮに対応した外部接続インタフェース１６を介して接続された携帯電話機３、ポータブルＡＶプレーヤ４又はノートＰＣ５についても駆動制御するようになされている。
【００７３】
ハードディスクドライブ１４、ＣＤ／ＤＶＤドライブ１５、ディジタルラジオ／ＴＶチューナ１７は、ファンクションスイッチ１９と接続され、携帯電話機３、ポータブルＡＶプレーヤ４又はノートＰＣ５についても外部接続インタフェース１６を介してファンクションスイッチ１９と接続されている。
【００７４】
このファンクションスイッチ１９は、制御マイコン１１から供給された制御信号に従って、当該ファンクションスイッチ１９からＡＶコンテンツデコード部２０へ音楽コンテンツ又は映像コンテンツを出力すべき機器を切り換えるようになされている。
【００７５】
すなわちファンクションスイッチ１９は、ハードディスクドライブ１４、ＣＤ／ＤＶＤドライブ１５、ディジタルラジオ／ＴＶチューナ１７、携帯電話機３、ポータブルＡＶプレーヤ４又はノートＰＣ５の何れかから供給された音楽コンテンツ又は映像コンテンツをＡＶコンテンツデコード部２０へ出力する。
【００７６】
ＡＶコンテンツデコード部２０は、ファンクションスイッチ１９を介して供給される音楽コンテンツ又は映像コンテンツをデコードし、そのデコード結果の楽曲データ又は映像データをＤＳＰ(Digital Signal Processor)部２１へ送出する。
【００７７】
ＤＳＰ部２１は、ＡＶコンテンツデコード部２０から供給された楽曲データ又は映像データに対して所定のディジタル信号処理を施した後、映像音声ディジタルアナログコンバータ２２へ送出する。
【００７８】
映像音声ディジタルアナログコンバータ２２は、ディジタルの楽曲データ又は映像データをアナログの楽曲信号又は映像信号に変換し、楽曲信号や映像信号の音声部分については電子ボリューム部２３へ送出する一方、映像信号については表示部２Ｂへ出力する。
【００７９】
なお表示部２Ｂには、オンスクリーンディスプレイ（ＯＳＤ）ドライバ部２５が接続されており、制御マイコン１１からの制御に従って、予め登録しておいたメッセージ等をサビ切換効果音ＳＡＢ１の出力タイミングに合わせて表示部２Ｂに表示し得るようになされている。
【００８０】
ここで、サビ切換効果音ＳＡＢ１の出力タイミングに合わせて表示部２Ｂに表示するメッセージとしては、例えば「最近、音楽を聴いてくれてないよね〜、聴いて欲しいなあ〜！」、「ボリュームがもう少し大きい方がボクもノリノリになれるんだけどな！」等のユーザに対して問いかけるようなメッセージが考えられる。
【００８１】
この場合、制御マイコン１１は、当該ユーザの音楽コンテンツを過去に再生したときの操作履歴情報等に基づいて、予め複数種類作成しておいた中から相応しいメッセージを自動的に選択する。
【００８２】
そして制御マイコン１１は、当該メッセージをサビ切換効果音ＳＡＢ１の出力タイミングに合わせて表示部２Ｂに表示することにより、当該サビ切換効果音ＳＡＢ１と当該メッセージとを連動させ得るようになされている。
【００８３】
電子ボリューム部２３は、楽曲信号の音量レベルを設定した後、アンプ部２４を介してスピーカＳＰ１〜ＳＰ４から当該楽曲信号に対応したオーディオ音声を所定音量レベルで出力するようになされている。
【００８４】
またアナログラジオ／ＴＶチューナ１８、音声外部入力端子３０及び映像外部入力端子３１は、ファンクションスイッチ３２と接続されており、当該アナログラジオ／ＴＶチューナ１８や、音声外部入力端子３０又は映像外部入力端子３１と接続されたアナログ機器から入力したアナログの音楽コンテンツ又は映像コンテンツを映像音声アナログディジタルコンバータ３３へ送出する。
【００８５】
映像音声アナログディジタルコンバータ３３は、アナログラジオ／ＴＶチューナ１８又は外部のアナログ機器から入力した音楽コンテンツ又は映像コンテンツをディジタル変換し、ディジタルの音楽コンテンツ又は映像コンテンツとしてファンクションスイッチ１９からＡＶコンテンツデコード部２０へ送出する。なお、ＡＶコンテンツデコード部２０以降の処理は上述した通りである。
【００８６】
また、ハードディスクドライブ１４、ＣＤ／ＤＶＤドライブ１５、ディジタルラジオ／ＴＶチューナ１７はファンクションスイッチ２６に対しても接続されており、携帯電話機３、ポータブルＡＶプレーヤ４又はノートＰＣ５についても外部接続インタフェース１６を介してファンクションスイッチ２６と接続されている。
【００８７】
さらにアナログラジオ／ＴＶチューナ１８、音声外部入力端子３０及び映像外部入力端子３１についても、ファンクションスイッチ３２、映像音声アナログディジタルコンバータ３３を介してファンクションスイッチ２６と接続されている。
【００８８】
このファンクションスイッチ２６についても、制御マイコン１１から供給された制御信号に従って、当該ファンクションスイッチ２６からＡＶコンテンツデコード部２７へ音楽コンテンツ又は映像コンテンツを出力すべき対象の機器を自在に切り換え得るようになされている。
【００８９】
ＡＶコンテンツデコード部２７は、ファンクションスイッチ２６を介して供給される音楽コンテンツ又は映像コンテンツをデコードし、そのデコード結果の楽曲データ又は映像データをメモリ部２８へ送出する。
【００９０】
この場合、サビ部分データＡ１と次のサビ部分データＢ１との間に挿入するためのサビ切換効果音ＳＡＢ１として、例えば上述したクロスフェードによる特殊効果音を後段のＤＳＰ部２１により生成する場合等にメモリ部２８が用いられるようになされている。
【００９１】
実際上、ホームオーディオ機器２の制御マイコン１１は、例えばハードディスクドライブ１４から読み出した音楽コンテンツＡのサビ部分データＡ１をＡＶコンテンツデコード部２７経由でメモリ部２８に保持させる。
【００９２】
またホームオーディオ機器２の制御マイコン１１は、携帯電話機３から読み出した音楽コンテンツＢのサビ部分データＢ１をＡＶコンテンツデコード部２０経由でＤＳＰ部２１へ出力するタイミングに合わせて、当該メモリ部２８からサビ部分データＡ１をＤＳＰ部２１へ出力する。
【００９３】
このとき制御マイコン１１は、図２に示したように、タイマー部２９により音楽コンテンツＡの再生開始後の１分２３秒経過時点からコンテンツ全体の２０％をサビ部分データＡ１として用いると共に、タイマー部２９により音楽コンテンツＢの再生開始後の１分１０秒経過時点からコンテンツ全体の２０％をサビ部分データＢ１として用いるようになされている。
【００９４】
ＤＳＰ部２１は、クロスフェードの場合、サビ部分データＡ１の音量を徐々に低減させつつ、次のサビ部分データＢ１の音量を次第に増加させた状態の特殊効果音をサビ切換効果音ＳＡＢ１として生成し、これをサビ部分データＡ１と次のサビ部分データＢ１との間で出力するようになされている。
【００９５】
なおホームオーディオ機器２は、ホワイトノイズ（或いはピンクノイズ）や、マイクロフォン２Ｅを用いて予め独自に録音した録音音声等のサビ切換効果音ＳＡＢ１を用いる場合、このサビ切換効果音ＳＡＢ１を予めハードディスクドライブ１４に格納しておき、必要なタイミングで読み出してサビ部分データＡ１と次のサビ部分データＢ１との間に挿入するようになされている。
【００９６】
またホームオーディオ機器２では、サビ部分データＡ１、Ｂ１又はＣ１の部分再生処理を行っている最中、ユーザがその楽曲を気に入ったときは、部分再生処理から全部再生処理へ切り換えるトリガーとして、ユーザの指を鳴らしたときの音を用いるようになされており、その音を予めマイクロフォン２Ｅによって集音する。
【００９７】
マイクロフォン２Ｅでは、ユーザの指を鳴らしたときの音をマイク入力部３５及び音声フィルタ部３６を介して、当該ユーザが指を鳴らしたときのリファレンスとなる指音データとしてメモリ部３７に格納する。
【００９８】
同様に、ホームオーディオ機器２では、サビ部分データＡ１、Ｂ１又はＣ１の部分再生処理を行っている最中、ユーザがその楽曲を気に入ったときは、部分再生処理から全部再生処理へ切り換えるトリガーとして、ユーザの手の動きを用いるようになされており、その手の動きを本体部２Ａに対して外付けされるカメラ３９により予め撮影する。
【００９９】
カメラ３９では、ユーザの手の動きを撮影したときの映像をモーションセンサー部４０へ送出する。モーションセンサー部４０では、その映像に基づいてユーザの手の動きを解析し、トリガーとして用いるのに相応しいリファレンスとなる映像データを生成してメモリ部３７に格納する。
【０１００】
従ってホームオーディオ機器２では、サビ部分データＡ１、Ｂ１、Ｃ１に対する部分再生処理を順次行っている間、マイクロフォン２Ｅにより新たに集音した指音データと、メモリ部３７に格納されているリファレンスとを映像音声照合処理部３８により比較し、一致していると判断できた場合、それをトリガーとして部分再生処理から全部再生処理へ切り換えるようになされている。
【０１０１】
また同様にホームオーディオ機器２は、サビ部分データＡ１、Ｂ１、Ｃ１に対する部分再生処理を順次行っている間、カメラ３９により新たに撮影したユーザの手の動きの映像データと、メモリ部３７に格納されているリファレンスとが映像音声照合処理部３８により一致していると判断できた場合、それをトリガーとして部分再生処理から全部再生処理へ切り換えるようになされている。
【０１０２】
（４）自動サビ部分再生処理手順
このような構成でなるホームオーディオ機器２において、上述の自動再生処理プログラムに従い、サビ部分データＡ１、Ｂ１、Ｃ１に対して部分再生処理を行いながら、ユーザからのトリガーにより全部再生処理へ切り換える一連の自動サビ部分再生処理手順を、図８のフローチャートにより説明する。
【０１０３】
ホームオーディオ機器２の制御マイコン１１は、ルーチンＲＴ１の開始ステップから入って次のステップＳＰ１へ移り、本体部２Ａに内蔵されているハードディスクドライブ１４、ＣＤ／ＤＶＤドライブ１５、ディジタルラジオ／ＴＶチューナ１７等をアクティベートな状態に設定し、次のステップＳＰ２へ移る。
【０１０４】
ステップＳＰ２において制御マイコン１１は、外部接続インタフェース１６を介して携帯電話機３、ポータブルＡＶプレーヤ４及びノートＰＣ５との接続を確立し、次のステップＳＰ３へ移る。
【０１０５】
ステップＳＰ３において制御マイコン１１は、サビ部分データＡ１、Ｂ１、Ｃ１に対する部分再生処理から全部再生処理へ切り換える際のトリガーとなるユーザの指音データ及びユーザの手の動きを撮影した映像データをリファレンスとしてメモリ部３７に保存し、次のステップＳＰ４へ移る。
【０１０６】
ステップＳＰ４において制御マイコン１１は、本体部２Ａに対して接続されている機器のうち、操作キー２Ｃを介して与えられたユーザからの指示に従い、音楽コンテンツを取り込むべき対象となる取込対象の機器を選択し、次のステップＳＰ５へ移る。
【０１０７】
ステップＳＰ５において制御マイコン１１は、ユーザの操作キー２Ｃを介して与えられたジャンル、アーティスト、カテゴリー等の属性に基づいて、複数のコンテンツの中から再生対象とすべき一群の音楽コンテンツを絞り込み、次のステップＳＰ６へ移る。
【０１０８】
ステップＳＰ６において制御マイコン１１は、ステップＳＰ５で再生対象として絞り込んだ一群の音楽コンテンツＡ〜Ｃに対し、図２に示したように、部分再生処理の時間的範囲（再生開始位置から再生終了位置）を音楽コンテンツＡ〜Ｃのサビ部分データＡ１〜Ｃ１として設定し、次のステップＳＰ７へ移る。
【０１０９】
ステップＳＰ７において制御マイコン１１は、ステップＳＰ６で設定したサビ部分データＡ１、サビ部分データＢ１、サビ部分データＣ１、……、の間に挿入すべきサビ切換効果音ＳＡＢ１の種類を、操作キー２Ｃを介して与えられたユーザからの指示に従い、例えば「クロスフェード」による特殊効果音として設定し、次のステップＳＰ８へ移る。
【０１１０】
ステップＳＰ８において制御マイコン１１は、サビ部分データＡ１、Ｂ１、Ｃ１に対する部分再生処理から全部再生処理に切り換えた後、全部再生処理が終了したときに、部分再生処理に再び戻して継続する継続モードと、全部再生処理が終了したときには部分再生処理に戻すことなく、ルーチンＲＴ１の自動サビ部分再生処理手順を全て終了してしまう終了モードとがあり、ユーザの操作キー２Ｃに対する操作に応じて継続モード又は終了モードの何れかに設定し、次のステップＳＰ９へ移る。
【０１１１】
ステップＳＰ９において制御マイコン１１は、ユーザの操作キー２Ｃに対する操作により、自動サビ部分再生処理の開始命令が与えられたか否かを判定し、否定結果が得られると開始命令が与えられるまで待ち続けるのに対し、肯定結果が得られると、次のステップＳＰ１０へ移る。
【０１１２】
ステップＳＰ１０において制御マイコン１１は、サビ部分データＡ１、Ｂ１、Ｃ１に対する部分再生処理から全部再生処理へ切り換えるときのトリガーとなるユーザの指を鳴らす音や、手の動きを認識するべきマイクロフォン２Ｅのマイク入力及びカメラ３９のカメラ入力をそれぞれオンし、次のステップＳＰ１１へ移る。
【０１１３】
ステップＳＰ１１において制御マイコン１１は、ステップＳＰ５で絞り込んだ再生対象とすべき一群の音楽コンテンツに対するサビ部分だけを順番に再生出力することにより自動サビ部分再生処理を開始し、次のステップＳＰ１２へ移る。
【０１１４】
このときホームオーディオ機器２の制御マイコン１１は、図２に示した自動サビ部分再生処理の設定内容に従って、「サビ切換効果音ＳＡＢ１」→「サビ部分データＡ１」→「サビ切換効果音ＳＡＢ１」→「サビ部分データＢ１」→「サビ切換効果音ＳＡＢ１」→「サビ部分データＣ１」→「サビ切換効果音ＳＡＢ１」→……というように「サビ切換効果音ＳＡＢ１」を被挿入コンテンツとして曲間に挟みながらサビ部分データＡ１〜Ｃ１を順次再生する。
【０１１５】
同時にホームオーディオ機器２の制御マイコン１１は、サビ切換効果音ＳＡＢ１の出力タイミングに連動させて、図９に示すように、本体部２Ａの表示部２Ｂに所定のサビ切換効果映像を表示すると共に再生マークＰＭを点滅表示し、各種操作キー２Ｃを点滅表示し、再生中のサビ部分データＡ１に対応した音楽コンテンツを所持している例えば携帯電話機３についても点滅表示するようになされている。
【０１１６】
これによりホームオーディオ機器２の制御マイコン１１は、サビ部分データＡ１と次のサビ部分データＢ１との間でサビ切換効果音ＳＡＢ１を再生出力中、本体部２Ａの表示部２Ｂ、操作キー２Ｃ、携帯電話機３を点滅表示することにより、視覚的なエンターテインメント性を向上させつつ、次の音楽コンテンツのサビ部分に切り換わることをユーザに対して目視確認させ得るようになされている。
【０１１７】
ステップＳＰ１２（図８）において制御マイコン１１は、サビ部分データＡ１、Ｂ１、Ｃ１に対する部分再生処理中、マイクロフォン２Ｅにより新たに集音した指音データ、又はカメラ３９により新たに撮影した映像データと、メモリ部３７に予め格納されているリファレンスとを比較し、部分再生処理から全部再生処理へ切り換えるためのトリガーが与えられたか否かを判定する。
【０１１８】
ここで否定結果が得られると、このことはマイクロフォン２Ｅにより新たに集音した指音データ、又はカメラ３９により新たに撮影した映像データと、メモリ部３７のリファレンスとが一致せず、ユーザからトリガーが与えられていないことを表しており、このとき制御マイコン１１はステップＳＰ１１へ戻ってサビ部分データＡ１、Ｂ１、Ｃ１に対する部分再生処理を継続する。
【０１１９】
これに対してステップＳＰ１２で肯定結果が得られると、このことはマイクロフォン２Ｅにより新たに集音した指音データ、又はカメラ３９により新たに撮影した映像データとメモリ部３７のリファレンスとが一致し、サビ部分データＡ１、Ｂ１、Ｃ１に対する部分再生処理から全部再生処理へ切り換えるためのトリガーが与えられたことを表しており、このとき制御マイコン１１は次のステップＳＰ１３へ移る。
【０１２０】
ステップＳＰ１３において制御マイコン１１は、トリガーが与えられたときに部分再生処理を実行中であったサビ部分データＡ１、Ｂ１、Ｃ１の何れかを改めてフルコーラス再生するべく全部再生処理に切り換え、次のステップＳＰ１４へ移る。
【０１２１】
ステップＳＰ１４において制御マイコン１１は、マイクロフォン２Ｅのマイク入力及びカメラ３９のカメラ入力をそれぞれオフし、次のステップＳＰ１５へ移る。
【０１２２】
ステップＳＰ１５において制御マイコン１１は、音楽コンテンツＡ〜Ｃの何れかに対する全部再生処理が終了したとき、ステップＳＰ８で継続モード又は終了モードのうち継続モードに設定されていたか否かを判定する。
【０１２３】
ここで肯定結果が得られると、このことは音楽コンテンツＡ〜Ｃの何れかに対する全部再生処理が終了したとき部分再生処理へ自動的に戻して継続するための継続モードがユーザにより選択されていたことを表しており、このとき制御マイコン１１はステップＳＰ１０へ戻って自動的にサビ部分データＡ１、Ｂ１、Ｃ１に対する部分再生処理を実行すべく、上述の処理を繰り返す。
【０１２４】
これに対してステップＳＰ１５で否定結果が得られると、このことは音楽コンテンツＡ〜Ｃの何れかに対する全部再生処理が終了したときには、部分再生処理へ戻すことなく終了する終了モードがユーザによって選択されていたことを表しており、このとき制御マイコン１１は次のステップＳＰ１６へ移って処理を全て終了する。
【０１２５】
（５）コンテンツジャンルに合わせたサビ切換効果音を挿入する自動サビ部分再生処理手順
次に、ホームオーディオ機器２において、次のサビ部分データの再生準備が整ったときのタイミングで、当該次のサビ部分データのコンテンツジャンルに合わせた内容のサビ切換効果音ＳＡＢを選択して挿入する自動サビ部分再生処理手順について説明する。
【０１２６】
図１０に示すように、ホームオーディオ機器２の制御マイコン１１は、ルーチンＲＴ２の開始ステップから入って次のステップＳＰ２１へ移り、例えば最初の音楽コンテンツＡにおけるサビ部分データＡ１を再生した後、次のステップＳＰ２２へ移る。
【０１２７】
ステップＳＰ２２において制御マイコン１１は、最初のサビ部分データＡ１を再生している最中に、次の音楽コンテンツＢにおけるサビ部分データＢ１を再生するための再生準備を行い、次のステップＳＰ２３へ移る。
【０１２８】
ここで再生準備とは、次の音楽コンテンツＢにおいて上述した１２音解析技術によりサビ部分データＢ１を特定し抽出するまでに要する処理のことであり、音楽コンテンツＡと音楽コンテンツＢとではコンテンツとしての内容が異なるため、再生準備に要する時間も異なることが予想される。
【０１２９】
ステップＳＰ２３において制御マイコン１１は、次のサビ部分データＢ１を再生するための再生準備が既に整っているか否かを判定する。ここで否定結果が得られると、このことは未だ次のサビ部分データＢ１を直ちに再生できる状態にはなっていないことを表しており、このとき制御マイコン１１はステップＳＰ２１へ戻って、サビ部分データＡ１の再生処理を継続する。
【０１３０】
これに対してステップＳＰ２３で肯定結果が得られると、このことは既に次のサビ部分データＢ１を直ちに再生できる状態にある、すなわち再生準備が完了していることを表しており、このとき制御マイコン１１は次のステップＳＰ２４へ移る。
【０１３１】
ステップＳＰ２４において制御マイコン１１は、次のサビ部分データＢ１の再生準備が完了しているので、音楽コンテンツＢに付加されているメタデータを読み出すことによりコンテンツジャンルがロック、ポップス、ジャズ又はクラッシックの何れであるかを判別し、次のステップＳＰ２５へ移る。
【０１３２】
ステップＳＰ２５において制御マイコン１１は、ステップＳＰ２１で開始した最初のサビ部分データＡ１の再生処理が全て終了したか否かを判定する。ここで否定結果が得られると、このことは最初のサビ部分データＡ１の再生処理が未だ終了していないことを表しており、このとき制御マイコン１１はステップＳＰ２５に戻って再生処理が終了することを待ち受ける。
【０１３３】
これに対してステップＳＰ２５で肯定結果が得られると、このことは最初のサビ部分データＡ１の再生処理が全て終了し、次のサビ部分データＢ１の再生処理を開始する前に、コンテンツジャンルに合わせたサビ切換効果音ＳＡＢを再生するタイミングが到来したことを表しており、このとき制御マイコン１１は次のステップＳＰ２６へ移る。
【０１３４】
ステップＳＰ２６において制御マイコン１１は、ステップＳＰ２４で判別した次のサビ部分データＢ１のコンテンツジャンル（ロック、ポップス、ジャズ又はクラッシック）に合わせたサビ切換効果音ＳＡＢ（サビ切換効果音ＳＡＢ１乃至ＳＡＢ４の何れか）を選択して再生し、次のステップＳＰ２７へ移る。
【０１３５】
ステップＳＰ２７において制御マイコン１１は、ステップＳＰ２６で再生したサビ切換効果音ＳＡＢの終了タイミングから次のサビ部分データＢ１の再生処理を開始し、再度ステップＳＰ２１へ戻る。
【０１３６】
このようにホームオーディオ機器２の制御マイコン１１は、サビ部分データＡ１を再生した後に、次のサビ部分データＢ１を再生する際、当該サビ部分データＢ１の音楽コンテンツＢに付加されているメタデータから読み取ったコンテンツジャンルに合わせてサビ切換効果音ＳＡＢ（サビ切換効果音ＳＡＢ１乃至ＳＡＢ４の何れか）を選択して再生することができるようになされている。
【０１３７】
これによりホームオーディオ機器２の制御マイコン１１は、最初のサビ部分データＡ１から次のサビ部分データＢ１へ移り換わる際に、当該次のサビ部分データＢ１のコンテンツジャンルに即した内容のサビ切換効果音ＳＡＢをユーザに聴取させることができ、かくして次のサビ部分データＢ１をイメージさせがら、連続した流れのなかでサビ部分データＡ１、Ｂ１、Ｃ１、……を順次ユーザに認識させることができる。
【０１３８】
（６）動作及び効果
以上の構成において、ホームオーディオシステム１のホームオーディオ機器２は、本体部２Ａに内蔵されているハードディスクドライブ１４、ＣＤ／ＤＶＤドライブ１５及びディジタルラジオ／ＴＶチューナ１７等に限らず、外部接続インタフェース１６を介して接続された携帯電話機３、ポータブルＡＶプレーヤ４及びノートＰＣ５についても、音楽コンテンツの出力可能な機器として選択することができる。
【０１３９】
そしてホームオーディオ機器２は、音楽コンテンツの出力可能な機器を選定した後、ジャンル、アーティスト、カテゴリー等の属性に基づいて、複数のコンテンツの中から再生対象とすべき一群の音楽コンテンツを絞り込むことにより、再生対象とした一群の音楽コンテンツの中からユーザの嗜好に合った音楽コンテンツに遭遇させるまでの時間を短縮することができる。
【０１４０】
またホームオーディオ機器２は、図２に示したように再生対象の音楽コンテンツＡ〜Ｃを再生する際、フルコーラス再生するのではなく、サビ部分データＡ１、サビ部分データＢ１及びサビ部分データＣ１を順番に並べ、サビ部分データＡ１〜Ｃ１の各切れ間に対し、ユーザ所望の効果を発揮する被挿入コンテンツとして例えば２秒間程度のサビ切換効果音ＳＡＢ１を挿入することにより自動サビ部分再生処理を行う。
【０１４１】
これによりホームオーディオ機器２は、ユーザに対して何ら特別な操作をさせることなく、サビ部分データＡ１〜Ｃ１の再生音を順番に聴取させることが出来るため、短時間のうちに、当該ユーザにとって思いもよらない音楽コンテンツと遭遇させたり、ユーザ自身は認識していないが潜在的に聴取したいと考えている音楽コンテンツを発見させることができる。
【０１４２】
かくしてユーザは、ホームオーディオ機器２による自動サビ部分再生処理によって、膨大な数の音楽コンテンツの中から、短時間のうちにユーザの嗜好に合った音楽コンテンツと出会うことができ、そのとき指を鳴らしたり、手を動かしさえすれば良い。
【０１４３】
その結果ホームオーディオ機器２は、ユーザの指の音をトリガーとして認識したり、ユーザによる特定の手の動きをトリガーとして認識した場合、ユーザの嗜好に合った音楽コンテンツに対して部分再生処理からフルコーラス再生処理（全部再生処理）へ切り換えることができる。
【０１４４】
またホームオーディオ機器２は、サビ部分データＡ１〜Ｃ１の各切れ間に挿入した被挿入コンテンツとしてのサビ切換効果音ＳＡＢ１をユーザに聴取させることが出来るので、そのサビ切換効果音ＳＡＢ１による効果音の種類によって様々な印象をユーザに与えられると共に、サビ部分データＡ１〜Ｃ１が空白部分を間に挟んだコマ切れ状態で出力されるのとは異なり、一連の流れを持った連続的なコンテンツとして提供することができる。
【０１４５】
以上の構成によれば、ホームオーディオ機器２は再生対象とした一群の音楽コンテンツＡ〜Ｃのサビ部分データＡ１〜Ｃ１を部分再生処理することにより、短時間のうちに一群の音楽コンテンツＡ〜Ｃが何であるかをユーザに認識させることが出来る。
【０１４６】
またホームオーディオ機器２は、サビ部分データＡ１〜Ｃ１の各切れ間に挿入した被挿入コンテンツとしてのサビ切換効果音ＳＡＢ１をユーザに聴取させることにより、サビ部分データＡ１〜Ｃ１間の空白部分を埋めた一連の流れのあるコンテンツとしてユーザを飽きさせることなく、サビ部分データＡ１〜Ｃ１の再生処理結果を提供することができる。
【０１４７】
かくしてホームオーディオ機器２は、自動サビ部分再生処理によって、ユーザの潜在的な嗜好に合った音楽コンテンツを短時間のうちに楽しませながらストレスなく選択させることができる。
【０１４８】
（７）他の実施の形態
なお上述の実施の形態においては、再生対象となる一群の音楽コンテンツＡ〜Ｃに対し、サビ部分データＡ１〜Ｃ１だけを部分再生処理するようにした場合について述べた。
【０１４９】
しかしながら、本発明はこれに限らず、一群の音楽コンテンツＡ〜Ｃに対し、所謂イントロ部分データだけを部分再生処理することにより、膨大な数の音楽コンテンツの中からユーザの嗜好に合致したものを短時間かつ容易に見つけられるべく提供するようにしても良い。
【０１５０】
また上述の実施の形態においては、サビ部分データＡ１〜Ｃ１における各切れ間の時間間隔を約２秒程度に設定するようにした場合について述べたが、本発明はこれに限らず、ユーザの好みに応じた任意の時間間隔に設定するようにしても良い。
【０１５１】
さらに上述の実施の形態においては、ホームオーディオ機器２に対し、音楽コンテンツを取り込むべき取込対象の機器として、携帯電話機３、ポータブルＡＶプレーヤ４又はノートＰＣ５を接続するようにした場合について述べた。
【０１５２】
しかしながら、本発明はこれに限らず、ホームオーディオ機器２に対し、音楽コンテンツやビデオコンテンツを再生可能なハードディスクレコーダやゲーム機器等のその他種々のデバイスを接続するようにしても良い。
【０１５３】
さらに上述の実施の形態においては、ホームオーディオ機器２が再生対象として選択した一群の音楽コンテンツＡ〜Ｃにおけるサビ部分データＡ１〜Ｃ１を順番に部分再生処理するようにした場合について述べたが、本発明はこれに限らず、一群の音楽コンテンツＡ〜Ｃにおけるサビ部分データＡ１〜Ｃ１をランダムに部分再生処理するようにしても良い。
【０１５４】
さらに上述の実施の形態においては、自動サビ部分再生処理の対象を音楽コンテンツとした場合について述べたが、本発明はこれに限らず、自動サビ部分再生処理の対象を映像コンテンツとするようにしても良い。
【０１５５】
この場合、ホームオーディオ機器２としては、音楽コンテンツのような自動サビ部分再生処理ではなく、その映像コンテンツの特徴的シーン映像（動画像）だけを順番に再生する自動特徴的シーン映像再生処理を行う。
【０１５６】
例えば、図１１（Ａ）に示すように、映像コンテンツＤの特徴的シーン映像Ｄ１と、次の映像コンテンツＥの特徴的シーン映像Ｅ１との間に被挿入コンテンツとして挿入される切換効果映像ＣＰ１（動画像）としては、一例としてクロスフェードによる特殊効果映像が考えられる。
【０１５７】
このクロスフェードは、特徴的シーン映像Ｄ１の映像を徐々に消去させつつ、次の特徴的シーン映像Ｅ１の映像を次第に表示させていくときの特殊効果映像であり、ユーザにとっては、特徴的シーン映像Ｄ１〜特徴的シーン映像Ｅ１への切り換わり点が分かり難いため、いつのまにか映像が変更されているかのような連続的な印象を受ける。
【０１５８】
また図１１（Ｂ）に示すように、特徴的シーン映像Ｄ１と特徴的シーン映像Ｅ１との間に被挿入コンテンツとして挿入される切換効果映像ＣＰ２としては、ユーザの設定したテロップ（「次に行こう！」）の入った静止画像が考えられる。
【０１５９】
この場合、特徴的シーン映像Ｄ１から次の特徴的シーン映像Ｅ１への切り換わりを、テロップの入った静止画像からなる切換効果映像ＣＰ２により視覚的にユーザに認識させることができる。
【０１６０】
さらに図１１（Ｃ）に示すように、特徴的シーン映像Ｄ１と特徴的シーン映像Ｅ１との間に被挿入コンテンツとして挿入される切換効果映像ＣＰ３としては、ユーザが任意の映像コンテンツから取り込んだ静止画像やユーザ自身が撮影した動画像が考えられる。
【０１６１】
実際上図１２のように、ホームオーディオ機器２の表示部２Ｂに映像コンテンツのシーンを表示しながら、ユーザの気に入ったシーンをプリセットした静止画像や、図１３に示すように、本体部２Ａに対して外部接続したカメラ３９により撮影した動画像を切換効果映像ＣＰ３として用いれば良い。
【０１６２】
この場合ホームオーディオ機器２は、特徴的シーン映像Ｄ１から次の特徴的シーン映像Ｅ１への切り換わりについても、静止画像や動画像からなる切換効果映像ＣＰ３の映像として出力されるので、特徴的シーン映像Ｄ１及び特徴的シーン映像Ｅ１間の空白部分を映像で埋めた一連の流れのある連続的な再生結果として提供することができる。
【０１６３】
さらに図１４に示すように、映像コンテンツＤの特徴的シーン映像Ｄ１と、次の映像コンテンツＥの特徴的シーン映像Ｅ１との間に被挿入コンテンツとして挿入される切換効果映像ＣＰ４としては、一例として色調を変化させた特殊効果映像が考えられる。
【０１６４】
具体的には、特徴的シーン映像Ｄ１の背景が黒色系の色調であり、特徴的シーン映像Ｅ１の背景が白色系の色調であり、切換効果映像ＣＰ４としては黒色系の色調から白色系の色調へ次第に移り変わるような効果を持った動画像である。
【０１６５】
この場合もホームオーディオ機器２は、特徴的シーン映像Ｄ１から次の特徴的シーン映像Ｅ１へ瞬間的に切り換わるのではなく、切換効果映像ＣＰ４を介して、特徴的シーン映像Ｄ１の色調から次の特徴的シーン映像Ｅ１の色調へ次第に変化する過程をユーザに目視確認させることにより、映像が切り換わることを認識させつつ、次に白色系の色調を有する特徴的シーン映像Ｅ１が来ることをユーザにイメージさせ得るようになされている。
【０１６６】
さらに図１５に示すように、映像コンテンツＤの特徴的シーン映像Ｄ２と、次の映像コンテンツＥの特徴的シーン映像Ｅ２との間に被挿入コンテンツとして挿入される切換効果映像ＣＰ５としては、一例として動画再生結果として被写体の動き速度が速いシーンから被写体の動き速度が遅いシーンへ次第に変化させた特殊効果映像が考えられる。
【０１６７】
具体的には、特徴的シーン映像Ｄ２がアクション系コンテンツであって、被写体の動き速度が速いシーンを多く有する動画像なのに対し、特徴的シーン映像Ｅ２がラブストーリー系コンテンツであって、被写体の動き速度が遅いシーンを多く有する動画像であるため、切換効果映像ＣＰ５としては当初、被写体の動き速度が速いシーンを続けた後、動き速度が遅いシーンへ次第に切り換えるように変化させた内容の動画像である。
【０１６８】
この場合もホームオーディオ機器２は、特徴的シーン映像Ｄ２から次の特徴的シーン映像Ｅ２へ瞬間的に切り換わるのではなく、切換効果映像ＣＰ５を介して、被写体の動き速度が速いシーンから動き速度が遅いシーンへと次第に変化させていく過程をユーザに目視確認させることにより、映像が切り換わることを認識させつつ、動き速度が速いシーンを有する特徴的シーン映像Ｄ２の次に、動き速度が遅いシーンを有する特徴的シーン映像Ｅ２が来ることをユーザにイメージさせ得るようになされている。
【０１６９】
さらに図１６に示すように、映像コンテンツＤの特徴的シーン映像Ｄ１と、次の映像コンテンツＥの特徴的シーン映像Ｅ１との間に被挿入コンテンツとして挿入される切換効果映像ＣＰ６としては、所定色でなる無地の映像に対して特徴的シーン映像Ｅ１における最初のシーンをミキシング処理することにより、時間経過と共に次第に特徴的シーン映像Ｅ１が浮かび上がってくるような特殊効果映像が考えられる。
【０１７０】
さらに、映像コンテンツＤの特徴的シーン映像Ｄ１と、次の映像コンテンツＥの特徴的シーン映像Ｅ１との間に被挿入コンテンツとして挿入される切換効果映像ＣＰ７としては、所定色でなる無地の映像に対して特徴的シーン映像Ｅ１における最初のシーンを右側から左側へスライドさせながら挿入処理することにより、時間経過と共に次第に特徴的シーン映像Ｅ１が右側から登場してくるような特殊効果映像が考えられる。
【０１７１】
最後に、図１７に示すように、映像コンテンツＤの特徴的シーン映像Ｄ３と、次の映像コンテンツＥの特徴的シーン映像Ｅ３との間に被挿入コンテンツとして挿入される切換効果映像ＣＰ８としては、「自動車」の特徴的シーン映像Ｄ３から「ラブストーリー」の特徴的シーン映像Ｅ３へ自然と移り変わる様子を表現したような内容の映像が考えられる。
【０１７２】
例えば、ホームオーディオ機器２では、特徴的シーン映像Ｄ３のうち「自動車のヘッドライト」をイメージさせるシーン画像ＣＰ８Ａ、「自動車走行中」をイメージさせるシーン画像ＣＰ８Ｂをユーザからの指示により選択する。
【０１７３】
またホームオーディオ機器２は、特徴的シーン映像Ｅ３のうち「海に浮かんでいるヨット」をイメージさせるシーン画像ＣＰ８Ｄ、「海を見ている恋人同士」をイメージさせるシーン画像ＣＰ８Ｅをユーザからの指示により選択する。
【０１７４】
その後、ホームオーディオ機器２は、「自動車走行中」をイメージさせるシーン画像ＣＰ８Ｂと、「海に浮かんでいるヨット」をイメージさせるシーン画像ＣＰ７Ｄとを相互に融合したようなイメージのシーン画像ＣＰ８Ｃを、特徴的シーン映像Ｄ３の画像データ及び特徴的シーン映像Ｅ３の画像データに対するユーザの編集操作に応じて生成する。
【０１７５】
従ってホームオーディオ機器２は、シーン画像ＣＰ８Ａ乃至ＣＰ８Ｅからなる切換効果映像ＣＰ８を、最初の特徴的シーン映像Ｄ３と次の特徴的シーン映像Ｅ３との間に挿入することにより、当該切換効果映像ＣＰ８を介して、「自動車」の特徴的シーン映像Ｄ３から「ラブストーリー」の特徴的シーン映像Ｅ３へ自然と移り変わる様子を表現し得るようになされている。
【０１７６】
これによりホームオーディオ機器２は、「自動車」の特徴的シーン映像Ｄ３から「ラブストーリー」の特徴的シーン映像Ｅ３へ切り換わることを、当該切換効果映像ＣＰ８を介して認識させつつ、コンテンツとしての連続性を維持して次の特徴的シーン映像Ｅ３の内容をユーザに対して容易にイメージさせ得るようになされている。
【０１７７】
この場合、ホームオーディオ機器２は、ユーザからの指示や編集操作に応じて切換効果映像ＣＰ８を生成するようにしたが、最初の映像コンテンツＤ、次の映像コンテンツＥに付加されているメタデータに応じて当該切換効果映像ＣＰ８を生成することもできる。
【０１７８】
例えば、特徴的シーン映像Ｄ３は、「ジャンル：車」、「動画速度：速い」のメタデータが付加されており、次の特徴的シーン映像Ｅ３は「ジャンル：ラブストーリ」、「動画速度：遅い」のメタデータが付加されている場合を想定する。
【０１７９】
この場合、ホームオーディオ機器２は、最初の映像コンテンツＤ及び次の映像コンテンツＥのメタデータを取得し、それぞれの「ジャンル」及び「動画速度」に関する情報を認識した後、当該情報に基づいて、特徴的シーン映像Ｄ３のうち「自動車のヘッドライト」をイメージさせるシーン映像ＣＰ８Ａ、「自動車走行中」をイメージさせるシーン映像ＣＰ８Ｂを抽出する。
【０１８０】
そしてホームオーディオ機器２は、当該情報に基づいて、特徴的シーン映像Ｅ３のうち「海に浮かんでいるヨット」をイメージさせるシーン映像ＣＰ８Ｄ、「海を見ている恋人同士」をイメージさせるシーン映像ＣＰ８Ｅを抽出する。
【０１８１】
その後、ホームオーディオ機器２は、「自動車走行中」をイメージさせるシーン画像ＣＰ８Ｂと、「海に浮かんでいるヨット」をイメージさせるシーン画像ＣＰ８Ｄとを相互に融合したようなイメージのシーン画像ＣＰ８Ｃを、予めハードディスクドライブ１４に保持している中から選択し、シーン画像ＣＰ８Ａ乃至ＣＰ８Ｅからなる切換効果映像ＣＰ８を生成するようになされている。
【０１８２】
さらに上述の実施の形態においては、ホームオーディオ機器２の制御マイコン１１がハードディスクドライブ１４に格納されている自動再生処理プログラムに従い、上述したルーチンＲＴ１の自動サビ部分再生処理手順（図８）及びコンテンツジャンルに合わせたサビ切換効果音を挿入する自動サビ部分再生処理手順（図１０）を実行するようにした場合について述べた。
【０１８３】
しかしながら、本発明はこれに限らず、ホームオーディオ機器２の制御マイコン１１は記録媒体からインストールした自動再生処理プログラムや、インターネットからダウンロードした自動再生処理プログラム、その他種々のルートによってインストールした自動再生処理プログラムに従って上述したルーチンＲＴ１及びＲＴ２の自動サビ部分再生処理手順を実行するようにしても良い。
【０１８４】
さらに上述の実施の形態においては、コンテンツ選択手段としての制御マイコン１１、部分再生処理手段としてのＡＶコンテンツデコード部２０、２７、出力手段としてのスピーカＳＰ１〜ＳＰ４、挿入手段としての制御マイコン１１によって本発明のコンテンツ再生装置としてのホームオーディオ機器２を構成するようにした場合について述べた。
【０１８５】
しかしながら、本発明はこれに限らず、その他種々の構成でなるコンテンツ選択手段、部分再生処理手段、出力手段及び挿入手段によってコンテンツ再生装置を構成するようにしても良い。
【産業上の利用可能性】
【０１８６】
本発明のコンテンツ再生装置及びコンテンツ再生方法は、例えばホームオーディオシステム１のホームオーディオ機器２に適用するようにした場合について述べたが、本発明はこれに限らず、カーオーディオシステムのカーオーディオ機器や、飛行機のオーディオシステムのオーディオ機器等、その他種々のオーディオ機器に適用することができる。
【図面の簡単な説明】
【０１８７】
【図１】ホームオーディオシステムの全体構成を示す略線図である。
【図２】自動サビ部分再生処理の説明に供する略線図である。
【図３】サビ切換効果音のパターンを示す略線図である。
【図４】サビ切換効果音として用いられるマイクロフォンにより取り込んだ音声の説明に供する略線図である。
【図５】音程調整を考慮したサビ切換効果音のパターンを示す略線図である。
【図６】テンポ調整を考慮したサビ切換効果音のパターンを示す略線図である。
【図７】ホームオーディオ機器の回路構成を略線的ブロック図である。
【図８】自動サビ部分再生処理手順の説明に供するフローチャートである。
【図９】自動サビ部分再生処理と連動した点滅効果を示す略線図である。
【図１０】コンテンツジャンルに合わせたサビ切換効果音を挿入する自動サビ部分再生処理手順の説明に供するフローチャートである。
【図１１】他の実施の形態における動画コンテンツの場合の切換効果映像のパターンを示す略線図である。
【図１２】他の実施の形態における切換効果映像として用いられるプリセットした静止画像の説明に供する略線図である。
【図１３】他の実施の形態における切換効果映像として用いられるキャプチャーにより取り込んだ動画像の説明に供する略線図である。
【図１４】色調変化を考慮した切換効果映像のパターンを示す略線図である。
【図１５】被写体の動き速度を考慮した切換効果映像のパターンを示す略線図である。
【図１６】特殊効果を用いた切換効果映像のパターンを示す略線図である。
【図１７】切換前後のコンテンツを融合した切換効果映像のパターンを示す略線図である。
【符号の説明】
【０１８８】
１……ホームオーディオシステム、２……ホームオーディオ機器、２Ａ……本体部、２Ｂ……表示部、２Ｃ……操作キー、２Ｄ……ＣＤ／ＤＶＤ装填トレイ、２Ｅ……マイクロフォン、ＳＰ１〜ＳＰ４……スピーカ、３……携帯電話機、４……ポータブルＡＶプレーヤー、５……ノートＰＣ、１１……制御マイコン、１３……キー入力部、１４……ハードディスクドライブ、１５……ＣＤ／ＤＶＤドライブ、１６……外部接続インタフェース、１７……ディジタルラジオ／ＴＶチューナ、１８……アナログラジオ／ＴＶチューナ、１９、２６……ファンクションスイッチ、２０、２７……ＡＶコンテンツデコード部、２１……ＤＳＰ部、２２……映像音声ディジタルアナログコンバータ、２３……電子ボリューム部、２４……アンプ部、２５……ＯＳＤドライバ部、２８、３７……メモリ部、２９……タイマー部、３０……音声外部入力端子、３１……映像外部入力端子、３５……マイク入力部、３６……音声フィルタ部、３８……映像音声照合処理部、４０……モーションセンサー部、４１……映像フィルタ部。
【図１】
2009093779.tif 000003
【図２】
2009093779.tif 000004
【図３】
2009093779.tif 000005
【図４】
2009093779.tif 000006
【図５】
2009093779.tif 000007
【図６】
2009093779.tif 000008
【図７】
2009093779.tif 000009
【図８】
2009093779.tif 000010
【図９】
2009093779.tif 000011
【図１０】
2009093779.tif 000012
【図１１】
2009093779.tif 000013
【図１２】
2009093779.tif 000014
【図１３】
2009093779.tif 000015
【図１４】
2009093779.tif 000016
【図１５】
2009093779.tif 000017
【図１６】
2009093779.tif 000018
【図１７】
2009093779.tif 000019